(57)【特許請求の範囲】
【請求項１】
ヘッド本体と、このヘッド本体の内側領域で回転自在に支持された針とを備え、
前記ヘッド本体は、前記針を受容する一対の受容部と、ヘッド本体の端縁に沿って面取りされた指掛け部とを備え、前記針が所定角度に回転したときに、当該針が受容部に退避可能に設けられ、
前記針の先端は、当該針が前記受容部に退避したときに、前記指掛け部から外側に僅かに突出しているとともに、ヘッド本体の最大幅若しくは最大径より内方に位置することを特徴とする画鋲。
【請求項２】
前記ヘッド本体は、その中央領域を貫通して針の基端側を埋設する開口部を備えていることを特徴とする請求項１記載の画鋲。
【請求項３】
前記ヘッド本体は、受容部内に退避された針の軸方向に延びる長方形状に設けられていることを特徴とする請求項１又は２記載の画鋲。
【発明の詳細な説明】
【０００１】
【産業上の利用分野】
本発明は、画鋲に係り、更に詳しくは、安全性を確保するために、針の先端側を受容する受容部をヘッド本体に設けた画鋲に関する。
【０００２】
【従来の技術】
従来より、掲示物を壁等の被固定面にあてがって、ヘッドをなす押圧部を押圧して針を刺し込むことにより掲示物を固定することができる画鋲が広く利用されている。このような画鋲にあっては、常時は針の先端が露出した状態となっており、所定の容器から取り出す際に当該針の先端が不用意に指先に刺さったり、引っ掛かることにより怪我をしてしまう虞がある。そこで、押圧部を備えた本体部と、この本体部に連結された針と、本体部に設けられた操作部と、本体部内に配置されたばねとを備えたタイプの画鋲が存在する。この画鋲における針は、常時は本体部の内側に収容されており、操作部を操作することによりばねが作用して本体部の外面側へ突出可能となっている。
【０００３】
【発明が解決しようとする課題】
しかしながら、このようなタイプの画鋲においては、バネの弾性力を利用して針を突き出す構造となっているため、針が勢いよく突出してしまい、却って安全性を損なう場合がある。また、操作部に触れただけで意図することなく針が表出してしまう虞があり、これがため、針の先端側に触れることにより怪我をする危険性を回避することが困難であるという不都合を生じる。
【０００４】
ところで、一般に、画鋲は、掲示物を壁に確実に固定することを主に考慮して製造されており、抜き取り作業が困難である場合が多い。これは、押圧部を指先で掴むことができる領域が極めて小さく設けられていることに起因する。従って、抜き取り作業を行う際には、専用の工具を用いたり、指が痛くなる程の力が不可避的に要求されるという不都合も招来する。かかる不都合は、画鋲の針が経時的に錆びついた時に一層顕出する。
【０００５】
【発明の目的】
本発明は、このような不都合に着目して案出されたものであり、その目的は、指先等が針の先端側に不用意に触れることのないように針を受容する受容部を設けることにより、安全性を向上させることができる画鋲を提供することにある。
【０００６】
本発明の他の目的は、掲示物等を確実に固定することができるとともに、抜き取り作業を容易に行うことができる画鋲を提供することにある。
【０００７】
【課題を解決するための手段】
前記目的を達成するため、本発明は、ヘッド本体と、このヘッド本体の内側領域で回転自在に支持された針とを備え、
前記ヘッド本体は、前記針を受容する一対の受容部と、ヘッド本体の端縁に沿って面取りされた指掛け部とを備え、前記針が所定角度に回転したときに、当該針が受容部に退避可能に設けられ、
前記針の先端は、当該針が前記受容部に退避したときに、前記指掛け部から外側に僅かに突出しているとともに、ヘッド本体の最大幅若しくは最大径より内方に位置する、という構成が採用されている。このような構成によれば、針を回転して当該針を受容部内に退避させることにより、不用意に針の先端に指が引っ掛かって怪我をする虞を少なくして安全性を向上させることが可能となる。また、針が被固定面に刺し込まれたときに、ヘッド本体と被固定面との間に隙間が生じ、この隙間に指先を潜り込ませてヘッド本体を容易に掴み上げることができる。この際、指掛けされる一の端縁を力点とし、これに相対する端縁を支点として針を抜き取ることにより、当該抜き取り力を極めて軽減することも可能となる。また、針の先端を被固定面に刺し込みながら当該針を回転することができ、針の先端に指を触れることなく刺し込み操作を行うことが可能となる。しかも、指先等が何気なく針の先端に触れて怪我をする虞を有効に排除することができる。更に、針を退避させた状態で当該針を被固定面に刺し込むことができ、針に触れることなくその回転操作と刺し込み作業とを同時に行うことも可能となる。
【０００８】
【発明の実施の形態】
本発明における前記ヘッド本体は、その中央領域を貫通して針の基端側を埋設する開口部を備える、という構成を採ることが好ましい。
【０００９】
また、前記ヘッド本体は、受容部内に退避された針の軸方向に延びる長方形状に設けられる、という構成も好ましくは採用される。
【００１０】
【実施例】
以下、本発明の実施例を図面を参照しながら説明する。
【００１１】
図１には、実施例に係る画鋲の平面図が示され、図２には、画鋲が被固定面に刺し込まれた状態の断面図が示されている。これらの図において、画鋲１０は、ヘッド本体１１と、このヘッド本体１１に回転自在に支持された針１２とを備えて構成されている。
【００１２】
前記ヘッド本体１１は、特に限定されるものでないが、本実施例では、樹脂材を用いた成形品により構成されている。ヘッド本体１１は、平面視横長な略長方形となる板状の本体部１４と、この本体部１４の中央領域に形成された開口部１５と、本体部１４の図中左右両側に設けられた一対の指掛け部１６，１６と、本体部１４の裏面側に設けられた一対の受容部１７，１７とを備えて構成されている。
【００１３】
前記開口部１５は、本体部１４を図２中上下方向に開通するように設けられているとともに、平面視略方形となる角穴状に形成されている。開口部１５は、上方に向かうに従って、その左右開口幅を拡幅するように設けられた一対の傾斜面１９，１９を備えており、開口部１５の内面側に針１２の基端側を埋設して当該針１２の回転動作を許容するようになっている。
【００１４】
前記各指掛け部１６，１６は、本体部１４における長手方向の両側端縁をそれぞれ面取りすることによって形成されている。各指掛け部１６，１６は、本体部１４の裏面から表面に向って当該本体部１４の左右幅が拡がるように設けられた一対の傾斜面２０，２０を備えており、これにより、針１２を被固定面としての壁Ｗに刺し込んだ際に、当該壁Ｗと指掛け部１６，１６との間に鋭角をなす隙間Ｃ，Ｃが生じるようになっている。
【００１５】
前記各受容部１７，１７は、図３及び図４に示されるように、前記開口部１５を挟んで左右両側に相対配置されるとともに、開口部１５及び各指掛け部１６，１６に連なるように形成されたスリット溝状に設けられている。各受容部１７，１７は、針１２の軸径より僅かに大きい溝幅を備えており、これにより、針１２を本体部１４の裏面側に横たわる方向に回転したときに針１２が受容部１７内に退避可能となっている。
【００１６】
前記針１２は、図４に示されるように、本体部１４の略中心位置でＬ字状に屈曲した形状に設けられている。この針１２の先端は、当該針１２が受容部１５に受容された際に、本体部１４の図４（Ｂ）中左右最大幅より内方に位置するとともに、傾斜面２０から僅かにはみ出るように設定されている。
【００１７】
以上の構成において、針１２の刺し込み作業は、図５（Ａ）に示されるように、掲示物Ｐを壁Ｗにあてがった後、針１２を受容部１７内に退避させた状態で、ヘッド本体１１を指で掴み、針１２の先端側を壁Ｗに刺し込む。そして、この状態でヘッド本体１１を矢印Ａ方向に回転させながら矢印Ｂ方向に移動させ、すなわち、同時に二方向へ移動させることにより図５（Ｂ）に示される状態となる。そして、針１２がヘッド本体１１の左右を結ぶ仮想直線に対して略直交する中立した姿勢となった後、つまりヘッド本体１１が壁Ｗに対して略平行な姿勢となった後に、ヘッド本体１１を掲示物Ｐに対して押圧することにより針１２を壁Ｗに刺し込むことができる。なお、この作業は、受容部１７内に退避した針１２を指先で摘み出してから当該針１２を壁Ｗに刺し込むことによっても行うことができる。
【００１８】
針１２の抜き取り作業は、一方の隙間Ｃに指先を潜り込ませて、すなわち、指掛け部１６に指先を引っ掛けながら持ち上げればよい。この際、図６に示されるように右側の指掛け部１６が力点となるとともに、左側の指掛け部１６が支点となって、ヘッド本体１１が矢印Ｃ方向に回転するので、針１２を容易に抜き取ることができる。なお、両方の指掛け部１６，１６を指で掴み上げるようにして針１２の抜き取り作業を行っても何ら支障はない。
【００１９】
従って、このような実施例によれば、開口部１５を本体部１４に対して貫通した形状となるように設けたから、針１２の起立若しくは倒伏姿勢を表面側から確認することができ、取扱性を良好にすることが可能となる。また、開口部１５は傾斜面１９を備えた構成としたから、この内方に指先を差し込んで針１２を起立させる方向に回転させることができ、針１２の先端に接触することなく回転操作を行うことができる。更に、本体部１４を退避した針１２の軸方向に延びる長方形状としたから、針１２と指掛け部１６との距離が長くなり、針１２が刺し込まれた状態での回転操作に必要な力を軽減することも可能となる。
【００２０】
なお、前記実施例では、開口部１５の内周面側に針１２が支持された構成を図示、説明したが、本発明は、これに限定されるものでなく、開口部１５に代えて本体部１４の裏面側に凹部を形成し、この凹部の内周面側において針１２の基端側を埋設する構成としてもよい。要するに、針１２はヘッド本体１１に回転自在に支持されていれば足りる。
【００２１】
また、前記本体部１４は、平面視略長方形となる板状に設けられた場合を、図示、説明したが、これに限定されるものでなく、例えば、円盤状や軸状等としてもよい。但し、針１２の抜き取り及び刺し込み作業時の取扱性を考慮すると、前記実施例のような形状とすることが好ましい。
【００２２】
【発明の効果】
以上説明したように、本発明によれば、ヘッド本体に回転自在に支持された針が受容部内に退避可能に設けられているから、指先が針に触れてしまう危険性を少なくして不用意に怪我をする虞を回避することができ、従来タイプに比べて安全性を向上させることが可能となる。
【００２３】
また、ヘッド本体は、その端縁に沿って面取りされた指掛け部を備えているから、針が被固定面に差し込まれた状態でも、指先でヘッド本体を操作するための領域が十分に確保されることとなり、針の抜き取り作業をスムースに行うことが可能となる。この際、針の先端を指掛け部の外側から僅かに突出させれば、針の先端に触れることなく針の刺し込み操作を行うこともできる。
【００２４】
更に、針の先端は、当該針が受容部内に退避したときに、ヘッド本体の最大幅若しくは最大径より内方に位置する構成としたから、針が退避した状態で、針の先端による指先の怪我を防止することができるとともに、針の回転操作と刺し込み作業を同時に行うことができるという効果を得る。
【図面の簡単な説明】
【図１】  第１の実施例に係る画鋲の平面図。
【図２】  前記画鋲が被固定面に刺し込まれた状態の正面断面図。
【図３】  図１の底面図。
【図４】  （Ａ）は、図１の縦断面図、（Ｂ）は、針が受容部内に退避した状態を示す正面断面図。
【図５】  針の刺し込み作業要領を示す説明図。
【図６】  針の抜き取り作業要領を示す説明図。
【符号の説明】
１０  画鋲
１１  ヘッド本体
１２  針
１６  指掛け部
１７  受容部
Ｗ  壁（被固定面）
【図１】
0003650825.tif 000002
【図２】
0003650825.tif 000003
【図３】
0003650825.tif 000004
【図４】
0003650825.tif 000005
【図５】
0003650825.tif 000006
【図６】
0003650825.tif 000007